(57)【要約】【課題】表示画面の輝度が低下するのを抑制することが可能な表示装置を提供する。【解決手段】この液晶テレビジョン装置（表示装置）１００は、光源７からの光を表示部１側に反射する反射シート１０を備える。反射シート１０は、矩形状の底面部１１と、底面部１１を取り囲むように配置される短辺側側面部１２および長辺側側面部１３とを含むように折り曲げられている。短辺側側面部１２と長辺側側面部１３の分離部１５側の端辺１２ａおよび１３ａには、それぞれ、長辺側側面部１３および短辺側側面部１２側に突出して延びる第１突出部１２ｂおよび第２突出部１３ｂが形成されており、第１突出部１２ｂおよび第２突出部１３ｂは、反射シート１０が折り曲げられた状態で、それぞれ、長辺側側面部１３および短辺側側面部１２の分離部１５側の端部近傍に対して背面側からオーバーラップするように配置されている。【選択図】図５
2014153393.tif 000002
【特許請求の範囲】
【請求項１】
表示部と、
前記表示部の背面側に配置され、前記表示部に光を照射する光源と、
前記光源を背面側から支持する背面側支持部材と、
前記光源からの光を前記表示部側に反射する反射シートとを備え、
前記反射シートは、前記背面側支持部材の表面上に配置される矩形状の底面部と、前記矩形状の底面部を取り囲むように配置される側面部とを含むように折り曲げられているとともに、前記反射シートの隅部には、前記側面部を第１側面部と第２側面部とに分離する分離部が形成されており、
前記第１側面部および前記第２側面部の前記分離部側の端辺には、それぞれ、前記第２側面部側および前記第１側面部側に突出して延びる第１突出部および第２突出部が形成されており、
前記第１突出部および前記第２突出部は、前記反射シートが前記底面部と前記側面部とを含むように折り曲げられた状態で、それぞれ、前記第２側面部および前記第１側面部の前記分離部側の端部近傍に対して背面側からオーバーラップするように配置されている、表示装置。
【請求項２】
前記第１突出部は、前記第１側面部の前記分離部側の端辺の中央部近傍に配置されているとともに、前記第２突出部は、前記第２側面部の前記分離部側の端辺の前記第１突出部に対応する位置以外の位置に配置されている、請求項１に記載の表示装置。
【請求項３】
前記第１側面部の前記分離部側の端辺の長さＡと、前記分離部の前記底面部側の端部から前記第１突出部の前記底面部とは反対側の端部までの前記端辺に沿った方向の長さＢとは、下記の式（１）を満たすように設定されている、請求項２に記載の表示装置。
（１／３）×Ａ≦Ｂ≦（２／３）×Ａ  …（１）
【請求項４】
前記長さＡと前記長さＢとは、下記の式（２）を満たすように設定されている、請求項３に記載の表示装置。
（１／２）×Ａ≦Ｂ≦（２／３）×Ａ  …（２）
【請求項５】
前記底面部は、長辺および短辺を有する長方形形状を有し、
前記第１突出部を有する前記第１側面部は、前記底面部の短辺側に配置されている、請求項２〜４のいずれか１項に記載の表示装置。
【請求項６】
前記第１突出部および前記第２突出部は、それぞれ、前記第１側面部および前記第２側面部の前記分離部側の端辺に沿った方向に延びるように形成されている、請求項１〜５のいずれか１項に記載の表示装置。
【請求項７】
前記底面部と、前記第１突出部を有する前記第１側面部と、前記第２突出部を有する前記第２側面部とを含む前記反射シートは、平板状に展開された状態で互いにオーバーラップする部分を含まないように形成されている、請求項１〜６のいずれか１項に記載の表示装置。
【発明の詳細な説明】
【技術分野】
【０００１】
この発明は、表示装置に関し、特に、光源からの光を表示部側に反射する反射シートを備えた表示装置に関する。
【背景技術】
【０００２】
従来、光源からの光を表示部側に反射する反射シートを備えた表示装置が知られている（たとえば、特許文献１参照）。
【０００３】
上記特許文献１には、光源からの光を液晶セル（表示部）側に反射する凹形状（平面視において矩形状）のシート体（反射シート）を備えた直下型バックライト装置（表示装置）が開示されている。この表示装置では、シート体は、矩形状の底面部と、矩形状の底面部の４辺を取り囲むように配置される４つの側面部とを含むように折り曲げられている。具体的には、シート体が平板状に展開された状態で、シート体の隅部（４つの側面部の境界部分）には、スリットが形成されている。そして、このスリットを介して隣接する２つの側面部の端辺同士が接触するようにシート体が折り曲げられることにより、シート体が凹形状に形成されている。
【先行技術文献】
【特許文献】
【０００４】
【特許文献１】特開２０１０−４９８４６号公報
【発明の概要】
【発明が解決しようとする課題】
【０００５】
しかしながら、上記特許文献１に開示された直下型バックライト装置（表示装置）では、シート体（反射シート）の隅部（４つの側面部の境界部分）にスリットが形成されているため、スリットを介して隣接する２つの側面部の端辺同士が接触するようにシート体が折り曲げられていても、その接触部分（２つの側面部の境界部分）に隙間が生じやすい。このため、光源からの光がシート体の隅部の隙間を介して漏れやすくなるとともに、シート体の隅部の隙間が広がってシート体の全体的な形状が崩れやすくなるため、光の反射効率が低下して、表示画面の輝度が低下する場合がある。
【０００６】
この発明は、上記のような課題を解決するためになされたものであり、この発明の１つの目的は、表示画面の輝度が低下するのを抑制することが可能な表示装置を提供することである。
【課題を解決するための手段】
【０００７】
上記目的を達成するために、この発明の一の局面による表示装置は、表示部と、表示部の背面側に配置され、表示部に光を照射する光源と、光源を背面側から支持する背面側支持部材と、光源からの光を表示部側に反射する反射シートとを備え、反射シートは、背面側支持部材の表面上に配置される矩形状の底面部と、矩形状の底面部を取り囲むように配置される側面部とを含むように折り曲げられているとともに、反射シートの隅部には、側面部を第１側面部と第２側面部とに分離する分離部が形成されており、第１側面部および第２側面部の分離部側の端辺には、それぞれ、第２側面部側および第１側面部側に突出して延びる第１突出部および第２突出部が形成されており、第１突出部および第２突出部は、反射シートが底面部と側面部とを含むように折り曲げられた状態で、それぞれ、第２側面部および第１側面部の分離部側の端部近傍に対して背面側からオーバーラップするように配置されている。
【０００８】
この発明の一の局面による表示装置では、上記のように構成することによって、第１側面部と第２側面部とが分離部により分離されていることに起因して生じる反射シートの隅部（第１側面部および第２側面部の境界部分）の隙間が、第１突出部および第２突出部によって覆われるので、反射シートの隅部に照射される光が漏れるのを抑制することができる。また、第１側面部および第２側面部の分離部側の端辺近傍が、それぞれ、第２突出部および第１突出部により背面側から支持されるので、第１側面部および第２側面部が撓むのを抑制することができる。これにより、第１側面部および第２側面部が撓むことに起因して第１側面部および第２側面部の境界部分の隙間が広がって反射シートの全体的な形状が崩れるのを抑制することができる。これらの結果、光の反射効率が低下するのを抑制することができるので、表示画面の輝度が低下するのを抑制することができる。
【０００９】
上記一の局面による表示装置において、好ましくは、第１突出部は、第１側面部の分離部側の端辺の中央部近傍に配置されているとともに、第２突出部は、第２側面部の分離部側の端辺の第１突出部に対応する位置以外の位置に配置されている。このように構成すれば、第１側面部の分離部側の端辺の中央部近傍に配置された第１突出部によって、第２側面部の分離部側の端辺近傍を背面側から安定して支持することができるので、第２側面部が撓んで反射シートの全体的な形状が崩れるのをより抑制することができる。また、第２側面部の分離部側の端辺の第１突出部に対応する位置以外の位置に第２突出部を配置することによって、反射シートを折り曲げる際に第１突出部と第２突出部とが干渉するのを抑制することができるので、これによっても、反射シートの全体的な形状が崩れるのをより抑制することができる。
【００１０】
この場合、好ましくは、第１側面部の分離部側の端辺の長さＡと、分離部の底面部側の端部から第１突出部の底面部とは反対側の端部までの端辺に沿った方向の長さＢとは、下記の式（１）を満たすように設定されている。
（１／３）×Ａ≦Ｂ≦（２／３）×Ａ  …（１）
このように長さＡと長さＢとを設定すれば、第１突出部によって、第２側面部の分離部側の端辺の中央部近傍を背面側から確実に支持することができるので、第２側面部が撓んで反射シートの全体的な形状が崩れるのを確実に抑制することができる。
【００１１】
上記長さＡと長さＢとが式（１）を満たす表示装置において、好ましくは、長さＡと長さＢとは、下記の式（２）を満たすように設定されている。
（１／２）×Ａ≦Ｂ≦（２／３）×Ａ  …（２）
このように長さＡと長さＢとを設定すれば、第１突出部によって、第２側面部の分離部側の端辺の中央部近傍を背面側からより確実に支持することができるので、第２側面部が撓んで反射シートの全体的な形状が崩れるのをより確実に抑制することができる。
【００１２】
上記第１突出部が第１側面部の分離部側の端辺の中央部近傍に配置された表示装置において、好ましくは、底面部は、長辺および短辺を有する長方形形状を有し、第１突出部を有する第１側面部は、底面部の短辺側に配置されている。このように構成すれば、第１側面部および第２側面部のうちの撓みやすい方（底面部の長辺側に配置された第２側面部）の分離部側の端辺の中央部近傍を、第１側面部および第２側面部のうちの撓みにくい方（底面部の短辺側に配置された第１側面部）に形成された第１突出部によって背面側から安定して支持することができるので、第２側面部が撓んで反射シートの全体的な形状が崩れるのを容易に抑制することができる。
【００１３】
上記一の局面による表示装置において、好ましくは、第１突出部および第２突出部は、それぞれ、第１側面部および第２側面部の分離部側の端辺に沿った方向に延びるように形成されている。このように構成すれば、第１側面部および第２側面部の分離部側の端辺に沿った方向に延びる第１突出部および第２突出部によって、第２側面部および第１側面部のそれぞれの分離部側の端辺近傍を背面側から支持する面積を大きくすることができるので、第１側面部および第２側面部が撓んで反射シートの全体的な形状が崩れるのを効果的に抑制することができる。
【００１４】
上記一の局面による表示装置において、好ましくは、底面部と、第１突出部を有する第１側面部と、第２突出部を有する第２側面部とを含む反射シートは、平板状に展開された状態で互いにオーバーラップする部分を含まないように形成されている。このように構成すれば、光反射性を有する１枚の大きなシートを打ち抜くことによって、底面部と、第１突出部を有する第１側面部と、第２突出部を有する第２側面部とを含む反射シートを容易に形成することができる。
【発明の効果】
【００１５】
本発明によれば、上記のように、表示画面の輝度が低下するのを抑制することができる。
【図面の簡単な説明】
【００１６】
【図１】本発明の一実施形態による液晶テレビジョン装置の全体構成を示した斜視図である。
【図２】図１に示した液晶テレビジョン装置の背面図である。
【図３】図２の５０−５０線に沿った模式的な断面図である。
【図４】本発明の一実施形態によるリアフレーム、ヒートシンク、ＬＥＤ基板、反射シートおよび拡散レンズを示した分解斜視図である。
【図５】本発明の一実施形態による反射シートが平板状に展開された状態を示した展開図である。
【図６】図５に示した反射シートのスリット近傍の部分を拡大して示した拡大図である。
【図７】本発明の一実施形態による反射シートの長手側側面部の背面に第１突出部を押し込む前の状態を示した拡大斜視図である。
【図８】本発明の一実施形態による反射シートの長手側側面部の背面に第１突出部を押し込んだ後の状態を示した拡大斜視図である。
【発明を実施するための形態】
【００１７】
以下、本発明の実施形態を図面に基づいて説明する。
【００１８】
まず、図１〜図８を参照して、本発明の一実施形態による液晶テレビジョン装置１００の構成について説明する。なお、液晶テレビジョン装置１００は、本発明の「表示装置」の一例である。
【００１９】
図１および図２に示すように、液晶テレビジョン装置１００は、映像が表示される液晶セルからなる表示部１と、表示部１を正面側（矢印Ｙ１方向側）から支持する樹脂製の前部筐体２と、液晶テレビジョン装置１００を下方（矢印Ｚ２方向側）から支持する樹脂製のスタンド部材３とを備える。前部筐体２は、正面から見て（矢印Ｙ１方向側から見て）矩形形状の外形を有する枠状に形成されている。具体的には、前部筐体２の中央部近傍には、表示部１を露出させるための矩形形状の開口部２ａが設けられている。また、図３に示すように、前部筐体２は、前方（矢印Ｙ１方向）に窪む凹形状に形成されている。
【００２０】
また、図２および図３に示すように、液晶テレビジョン装置１００は、表示部１を背面側（矢印Ｙ２方向側）から支持する板金製のリアフレーム４を備える。このリアフレーム４は、前部筐体２の背面側に嵌り込む矩形形状の外形を有する。また、リアフレーム４は、後方（矢印Ｙ２方向）に窪む凹形状に形成されている。なお、リアフレーム４は、ネジ部材（図示せず）によって前部筐体２に固定されている。また、リアフレーム４の背面側には、リアフレーム４よりも小さい矩形形状を有する樹脂製のカバー部材５が配置されている。カバー部材５は、リアフレーム４の背面に配置される電源基板や信号処理基板などの種々の基板（図示せず）を覆うように設けられている。また、カバー部材５は、ネジ部材（図示せず）によってリアフレーム４に固定されている。これらリアフレーム４およびカバー部材５によって、前部筐体２に対応する後部筐体が構成されている。なお、リアフレーム４は、本発明の「背面側支持部材」の一例である。
【００２１】
図３に示すように、リアフレーム４の表面（矢印Ｙ１方向側の面）には、左右方向（Ｘ方向）に延びる板金製のヒートシンク６が、上下方向（Ｚ方向）に間隔を隔てて３つ配置されている。これら３つのヒートシンク６の表面には、それぞれ、表示部１に背面側（矢印Ｙ２方向側）から光を照射する光源７が実装された３つの基板８が配置されている。なお、光源７は、ＬＥＤ（Ｌｉｇｈｔ  Ｅｍｉｔｔｉｎｇ  Ｄｉｏｄｅ）などにより構成されている。また、図４に示すように、光源７は、各基板８の表面に、各基板８の延びる方向（Ｘ方向）に沿って間隔を隔てて複数実装されている。
【００２２】
また、図３および図４に示すように、基板８の複数の光源７が実装された側の表面（矢印Ｙ１方向側の面）には、複数の光源７をそれぞれ覆う複数の拡散レンズ９が取り付けられている。この拡散レンズ９は、アクリルなどの樹脂により構成されており、光源７からの出射光を表示部１側に拡散する機能（図３の矢印付きの点線参照）を有する。なお、図３に示すように、拡散レンズ９の底面の中央部近傍（基板８の表面の光源７に対応する位置）には、凹部９ａが設けられている。また、拡散レンズ９には、拡散レンズ９の底面から基板８側に延びる柱状のボス９ｂが設けられており、このボス９ｂが基板８の表面に接着されることにより、拡散レンズ９が基板８の表面の光源７に対応する位置に取り付けられている。
【００２３】
また、図３および図４に示すように、基板８と拡散レンズ９との間には、光源７からの光を表示部１側に反射する反射シート１０が配置されている。この反射シート１０は、基板８の表面上に配置された状態で、リアフレーム４に沿った形状（矢印Ｙ２方向側に窪む凹形状）を有する。また、反射シート１０と表示部１との間には、拡散レンズ９により拡散された光を表示部１側にさらに拡散する拡散板などの種々の光学部材（図示せず）が配置されている。
【００２４】
ここで、本実施形態では、図４〜図８に示すように、反射シート１０は、光反射性を有する１枚の樹脂製のシートが折り曲げられることにより構成されている。具体的には、反射シート１０は、リアフレーム４の表面（矢印Ｙ１方向側の面）上に配置される矩形状の底面部１１と、矩形状の底面部１１の４辺を取り囲むように配置される４つの側面部（一対の短辺側側面部１２および一対の長辺側側面部１３）とを含むように折り曲げられている。なお、図４および図５に示すように、反射シート１０の底面部１１には、３つの基板８の表面上に実装された複数の光源７（拡散レンズ９）にそれぞれ対応する複数の穴部１０ａが上下方向（Ｚ方向）および左右方向（Ｘ方向）に間隔を隔てて３行のマトリクス状に形成されている。
【００２５】
図５に示すように、底面部１１は、リアフレーム４の長手方向（Ｘ方向）に沿って延びる長方形形状を有する。また、一対の短辺側側面部１２は、底面部１１の一対の端辺（左右方向（Ｘ方向）の両側で上下方向（Ｚ方向）に延びる一対の辺）にそれぞれ接続されるとともに、一対の長辺側側面部１３は、底面部１１の一対の長辺（上下方向（Ｚ方向）の両側で左右方向（Ｘ方向）に延びる一対の辺）にそれぞれ接続されている。また、底面部１１と短辺側側面部１２との境界部分、および、底面部１１と長辺側側面部１３との境界部分には、それぞれ、形成時の開口が閉じられた光を通過させないミシン目１４ａが形成されている。このミシン目１４ａは、反射シート１０を折り曲げやすくするために設けられている。
【００２６】
ここで、図５および図６に示すように、短辺側側面部１２と長辺側側面部１３とは、反射シート１０の隅部（４隅）に設けられた分離部１５により反射シート１０の側面部が分離されることにより構成されている。そして、短辺側側面部１２および長辺側側面部１３の分離部１５側の端辺１２ａおよび１３ａには、それぞれ、長辺側側面部１３および短辺側側面部１２側に突出して延びる第１突出部１２ｂおよび第２突出部１３ｂが一体的に形成されている。なお、短辺側側面部１２および長辺側側面部１３は、それぞれ、本発明の「第１側面部」および「第２側面部」の一例である。
【００２７】
図５および図６に示すように、第１突出部１２ｂおよび第２突出部１３ｂは、それぞれ、短辺側側面部１２および長辺側側面部１３の分離部１５側の端辺１２ａおよび１３ａに沿った方向に延びるように形成されている。具体的には、第１突出部１２ｂおよび第２突出部１３ｂは、それぞれ、短辺側側面部１２および長辺側側面部１３の分離部１５側の端辺１２ａおよび１３ａに沿った方向に延びる四角形形状を有する。第１突出部１２ｂは、短辺側側面部１２の分離部１５側の端辺１２ａの中央部近傍に配置されている。また、第２突出部１３ｂは、長辺側側面部１３の分離部１５側の端辺１３ａの第１突出部１２ｂに対応する位置以外の位置（端辺１３ａの底面部１１とは反対側の端部近傍）に配置されている。なお、第１突出部１２ｂと短辺側側面部１２との境界部分、および、第２突出部１３ｂと長辺側側面部１３との境界部分には、それぞれ、形成時の開口が閉じられた光を通過させないミシン目１４ｂが形成されている。
【００２８】
ここで、本実施形態では、図６に示すように、短辺側側面部１２の分離部１５側の端辺１２ａの長さＡと、分離部１５の底面部１１側の端部から第１突出部１２ｂの底面部１１とは反対側の端部までの端辺１２ａに沿った方向の長さＢとは、下記の式（１）および（２）を満たすように設定されている。なお、図６は、長さＡと長さＢとが、（１／２）×Ａ＜Ｂ＜（２／３）×Ａという関係式を満たすことによって、下記の（１）および（２）の両方を満たしている場合を示した図面である。
（１／３）×Ａ≦Ｂ≦（２／３）×Ａ  …（１）
（１／２）×Ａ≦Ｂ≦（２／３）×Ａ  …（２）
【００２９】
また、本実施形態では、図７および図８に示すように、短辺側側面部１２の第１突出部１２ｂが長辺側側面部１３の表面側（内側）に配置されるとともに、長辺側側面部１３の第２突出部１３ｂが短辺側側面部１２の背面側（外側）に配置された状態（図７参照）で、反射シート１０がリアフレーム４（図４参照）の表面上に配置された後に、表面側に配置された第１突出部１２ｂが長辺側側面部１３の背面側に入り込むように押し込まれることにより、第１突出部１２ｂおよび第２突出部１３ｂがそれぞれ長辺側側面部１３および短辺側側面部１２に対して背面側からオーバーラップする（図８参照）ように配置されている。すなわち、本実施形態では、図８に示すように、第１突出部１２ｂおよび第２突出部１３ｂは、反射シート１０が底面部１１と側面部（短辺側側面部１２および長辺側側面部１３）とを含むように折り曲げられた状態（反射シート１０がリアフレーム４に沿った凹形状に形成された状態：図４参照）で、それぞれ、長辺側側面部１３および短辺側側面部１２の分離部１５側の端辺１２ａおよび１３ａ近傍に対して背面側からオーバーラップするように配置されている。
【００３０】
なお、図４〜図８に示すように、短辺側側面部１２および長辺側側面部１３の各々の底面部１１とは反対側の外周部には、リアフレーム４の外周部に取り付けられる耳部１６が形成されている。また、耳部１６と短辺側側面部１２および長辺側側面部１３との境界部分には、それぞれ、耳部１６を短辺側側面部１２および長辺側側面部１３に対して外側に折り曲げるためのミシン目１４ｃが形成されている。このミシン目１４ｃも、上記ミシン目１４ａおよび１４ｂと同様に、形成時の開口が閉じられることにより光を通過させないように構成されている。
【００３１】
次に、図４、図７および図８を参照して、本発明の一実施形態による反射シート１０をリアフレーム４に沿った凹形状に形成する手順について説明する。
【００３２】
まず、図７に示すように、反射シート１０の底面部１１と側面部（短辺側側面部１２および長辺側側面部１３）とをミシン目１４ａに沿って折り曲げることにより、短辺側側面部１２の第１突出部１２ｂを長辺側側面部１３の表面側に配置するとともに、長辺側側面部１３の第２突出部１３ｂを短辺側側面部１２の背面側に配置した状態で、短辺側側面部１２の端辺１２ａと長辺側側面部１３の端辺１３ａとを互いに接触させる。
【００３３】
そして、上記のように折り曲げた反射シート１０（図７参照）をリアフレーム４（図４参照）の表面上に配置した後に、表面側に配置された第１突出部１２ｂを長辺側側面部１３の背面に入り込むように押し込む。これにより、図８に示すように、第１突出部１２ｂおよび第２突出部１３ｂが、それぞれ、長辺側側面部１３および短辺側側面部１２に対して背面側からオーバーラップするように配置された状態で、反射シート１０がリアフレーム４（図４参照）に沿った凹形状に形成される。
【００３４】
本実施形態では、上記のように、短辺側側面部１２および長辺側側面部１３の分離部１５側の端辺１２ａおよび１３ａに、それぞれ、長辺側側面部１３側および短辺側側面部１２側に突出して延びる第１突出部１２ｂおよび第２突出部１３ｂを形成し、第１突出部１２ｂおよび第２突出部１３ｂを、反射シート１０が底面部１１と側面部（短辺側側面部１２および長辺側側面部１３）とを含むように折り曲げられた状態（反射シート１０がリアフレーム４に沿った凹形状に形成された状態：図４参照）で、それぞれ、長辺側側面部１３および短辺側側面部１２の分離部１５側の端部近傍に対して背面側からオーバーラップするように配置する。これにより、短辺側側面部１２と長辺側側面部１３とが分離部１５により分離されていることに起因して生じる反射シート１０の隅部（短辺側側面部１２および長辺側側面部１３の境界部分）の隙間が、第１突出部１２ｂおよび第２突出部１３ｂによって覆われるので、反射シート１０の隅部に照射される光が漏れるのを抑制することができる。また、短辺側側面部１２および長辺側側面部１３の分離部１５側の端辺１２ａおよび１３ａ近傍が、それぞれ、第２突出部１３ｂおよび第１突出部１２ｂにより背面側から支持されるので、短辺側側面部１２および長辺側側面部１３が撓むのを抑制することができる。これにより、短辺側側面部１２および長辺側側面部１３が撓むことに起因して短辺側側面部１２および長辺側側面部１３の境界部分の隙間が広がって反射シート１０の全体的な形状が崩れるのを抑制することができる。これらの結果、光の反射効率が低下するのを抑制することができるので、表示画面の輝度が低下するのを抑制することができる。
【００３５】
また、本実施形態では、上記のように、第１突出部１２ｂを、短辺側側面部１２の分離部１５側の端辺１２ａの中央部近傍に配置するとともに、第２突出部１３ｂを、長辺側側面部１３の分離部１５側の端辺１３ａの第１突出部１２ｂに対応する位置以外の位置（端辺１３ａの底面部１１とは反対側の端部近傍）に配置する。これにより、短辺側側面部１２の分離部１５側の端辺１２ａの中央部近傍に配置された第１突出部１２ｂによって、長辺側側面部１３の分離部１５側の端辺１３ａ近傍を背面側から安定して支持することができるので、長辺側側面部１３が撓んで反射シート１０の全体的な形状が崩れるのをより抑制することができる。すなわち、短辺側側面部１２および長辺側側面部１３のうちの撓みやすい方（底面部１１の長辺側に配置された長辺側側面部１３）の分離部１５側の端辺１３ａの中央部近傍を、短辺側側面部１２および長辺側側面部１３のうちの撓みにくい方（底面部１１の短辺側に配置された短辺側側面部１２）に形成された第１突出部１２ｂによって背面側から安定して支持することができるので、長辺側側面部１３が撓んで反射シート１０の全体的な形状が崩れるのを容易に抑制することができる。また、長辺側側面部１３の分離部１５側の端辺１３ａの第１突出部１２ｂに対応する位置以外の位置に第２突出部１３ｂを配置することによって、反射シート１０を折り曲げる際に第１突出部１２ｂと第２突出部１３ｂとが干渉するのを抑制することができるので、これによっても、反射シート１０の全体的な形状が崩れるのを抑制することができる。
【００３６】
また、本実施形態では、上記のように、短辺側側面部１２の分離部１５側の端辺１２ａの長さＡ（図６参照）と、分離部１５の底面部１１側の端部から第１突出部１２ｂの底面部１１とは反対側の端部までの端辺１２ａに沿った方向の長さＢ（図６参照）とを、下記の式（１）および（２）を満たすように設定する。なお、図６は、長さＡと長さＢとが、（１／２）×Ａ＜Ｂ＜（２／３）×Ａという関係式を満たすことによって、下記の（１）および（２）の両方を満たしている場合を示した図面である。
（１／３）×Ａ≦Ｂ≦（２／３）×Ａ  …（１）
（１／２）×Ａ≦Ｂ≦（２／３）×Ａ  …（２）
このように長さＡと長さＢとを設定すれば、第１突出部１２ｂによって、長辺側側面部１３の分離部１５側の端辺１３ａの中央部近傍を背面側から確実に支持することができるので、長辺側側面部１３が撓んで反射シート１０の全体的な形状が崩れるのを確実に抑制することができる。
【００３７】
また、本実施形態では、上記のように、第１突出部１２ｂおよび第２突出部１３ｂを、それぞれ、短辺側側面部１２および長辺側側面部１３の分離部１５側の端辺１２ａおよび１３ａに沿った方向に延びるように形成する。これにより、短辺側側面部１２および長辺側側面部１３の分離部１５側の端辺１２ａおよび１３ａに沿った方向に延びる第１突出部１２ｂおよび第２突出部１３ｂによって、長辺側側面部１３および短辺側側面部１２のそれぞれの分離部１５側の端辺１２ａおよび１３ａ近傍を背面側から支持する面積を大きくすることができるので、短辺側側面部１２および長辺側側面部１３が撓んで反射シート１０の全体的な形状が崩れるのを効果的に抑制することができる。
【００３８】
また、本実施形態では、上記のように、底面部１１と、第１突出部１２ｂを有する短辺側側面部１２と、第２突出部１３ｂを有する長辺側側面部１３とを含む反射シート１０を、平板状に展開された状態（図５参照）で互いにオーバーラップする部分を含まないように形成する。これにより、光反射性を有する１枚の大きな樹脂製のシートを打ち抜くことによって、底面部１１と、第１突出部１２ｂを有する短辺側側面部１２と、第２突出部１３ｂを有する長辺側側面部１３とを含む反射シート１０を容易に形成することができる。
【００３９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４０】
たとえば、上記実施形態では、本発明の表示装置の一例として液晶テレビジョン装置を用いる例を示したが、本発明はこれに限らない。本発明は、液晶テレビジョン装置以外にも、ＰＣ（Ｐｅｒｓｏｎａｌ  Ｃｏｍｐｕｔｅｒ）用のディスプレイ装置などの一般的な表示装置に適用可能である。
【００４１】
また、上記実施形態では、第１突出部および第２突出部が短辺側側面部（第１側面部）および長辺側側面部（第２側面部）にそれぞれ１つずつ形成された例を示したが、本発明はこれに限らない。本発明では、第１突出部が短辺側側面部に２つ以上形成されていてもよいし、第２突出部が長辺側側面部に２つ以上形成されていてもよい。この場合、２つ以上の第１突出部と２つ以上の第２突出部とが互いに干渉するのを回避するために、第１側面部の端辺における第１突出部の位置と、第２側面部の端辺における第２突出部の位置とを互いに異ならせるのが好ましい。
【００４２】
また、上記実施形態では、短辺側側面部（第１側面部）の分離部側の端辺の中央部近傍に第１突出部が形成されるとともに、長辺側側面部（第２側面部）の分離部側の端辺の底面部とは反対側の端部近傍に第２突出部が形成された例を示したが、本発明はこれに限らない。本発明では、長辺側側面部の分離部側の端辺の第１突出部に対応する位置以外の位置に第２突出部が形成されていれば、長辺側側面部の分離部側の端辺の底面部側の端部近傍に第２突出部を形成してもよい。また、本発明では、第１側面部の端辺における第１突出部の位置と、第２側面部の端辺における第２突出部の位置とを、上記実施形態において示した例と入れ替えてもよい。すなわち、短辺側側面部（第１側面部）の分離部側の端辺の底面部とは反対側の端部近傍に第１突出部を形成するとともに、長辺側側面部（第２側面部）の分離部側の端辺の中央部近傍に第２突出部を形成してもよい。
【００４３】
また、上記実施形態では、短辺側側面部（第１側面部）の分離部側の端辺の長さＡと、分離部の底面部側の端部から第１突出部の底面部とは反対側の端部までの端辺に沿った方向の長さＢとが、（１／２）×Ａ＜Ｂ＜（２／３）×Ａという関係式を満たすことによって、長さＡと長さＢとが、上記の式（１）に規定された（１／３）×Ａ≦Ｂ≦（２／３）×Ａという関係式と、上記の式（２）に規定された（１／２）×Ａ≦Ｂ≦（２／３）×Ａという関係式との両方を満たす例（図６参照）を示したが、本発明はこれに限らない。本発明では、長さＡと長さＢとが、上記の式（１）および（２）の少なくとも一方を満たしていればよい。
【００４４】
また、上記実施形態では、第１突出部および第２突出部が、それぞれ、短辺側側面部（第１側面部）および長辺側側面部（第２側面部）の分離部側の端辺に沿った方向に延びるように形成された例を示したが、本発明はこれに限らない。本発明では、第１突出部および第２突出部の上記端辺に沿った方向の幅をより小さくしてもよい。
【符号の説明】
【００４５】
１  表示部
４  リアフレーム（背面側支持部材）
７  光源
１０  反射シート
１１  底面部
１２  短辺側側面部（側面部、第１側面部）
１２ａ  端辺
１２ｂ  第１突出部
１３  長辺側側面部（側面部、第２側面部）
１３ａ  端辺
１３ｂ  第２突出部
１５  分離部
１００  液晶テレビジョン装置（表示装置）
【図１】
2014153393.tif 000003
【図２】
2014153393.tif 000004
【図３】
2014153393.tif 000005
【図４】
2014153393.tif 000006
【図５】
2014153393.tif 000007
【図６】
2014153393.tif 000008
【図７】
2014153393.tif 000009
【図８】
2014153393.tif 000010